(57)【要約】【課題】電波強度が微弱な場合であっても、テレビ放送の受信信号に重畳された付加情報信号を安定して抽出することができる受信装置を提供する。【解決手段】信号抽出手段は、テレビ放送の映像信号の垂直帰線期間に重畳されている付加情報信号に含まれる付加情報の種類を示す識別コードを抽出するコード抽出手段と、識別コードが所定の規格に定められた識別コードと一致するか否か判定するコード判定手段とを有し、識別コードが所定の規格に定められた識別コードと一致すると判定された場合、爾後の付加情報信号を抽出する。信号抽出手段を複数備え、一の信号抽出手段が有するコード抽出手段が識別コードの抽出に失敗した場合、又は一の信号抽出手段が有するコード判定手段により識別コードが所定の規格に定められた識別コードと一致しないと判定された場合、他の信号抽出手段が爾後の付加情報信号を抽出するようにしてある。【選択図】図１
2011228904.tif 000002
【特許請求の範囲】
【請求項１】
テレビジョン放送を受信する受信手段と、
該受信手段が受信したテレビジョン放送の映像信号の垂直帰線期間に重畳されている付加情報信号を抽出する信号抽出手段と
を備え、
該信号抽出手段は、
前記付加情報信号に含まれる付加情報の種類を示す識別コードを抽出するコード抽出手段と、
該コード抽出手段が抽出した識別コードが所定の規格に定められた識別コードと一致するか否か判定するコード判定手段と
を有し、
該コード判定手段により識別コードが所定の規格に定められた識別コードと一致すると判定された場合、前記映像信号から爾後の付加情報信号を抽出するようにしてある受信装置において、
前記信号抽出手段を複数備え、
一の信号抽出手段が有する前記コード抽出手段が識別コードの抽出に失敗した場合、又は一の該信号抽出手段が有する前記コード判定手段により識別コードが所定の規格に定められた識別コードと一致しないと判定された場合、他の信号抽出手段が爾後の付加情報信号を抽出するようにしてある
ことを特徴とする受信装置。
【請求項２】
前記受信手段が受信したテレビジョン放送の受信信号を増幅する増幅手段と、
該増幅手段の利得を制御する利得制御手段と
を備え、
該利得制御手段は、
前記信号抽出手段が有する前記コード抽出手段が識別コードの抽出に失敗した場合、又は該信号抽出手段が有する前記コード判定手段により識別コードが所定の規格に定められた識別コードと一致しないと判定された場合、前記増幅手段の利得を変更するようにしてある
ことを特徴とする請求項１に記載の受信装置。
【請求項３】
前記受信手段が受信したテレビジョン放送の映像信号に含まれる所定の信号を検出した時点と、前記付加情報信号の開始及び終了を各検出した時点の夫々との時間差を検出する時間差検出手段
を備え、
前記信号抽出手段は、
前記所定の信号を検出したタイミング及び前記時間差検出手段が検出した各時間差に基づいて、爾後の付加情報信号を抽出するようにしてある
ことを特徴とする請求項１又は請求項２に記載の受信装置。
【請求項４】
前記時間差検出手段が検出した各時間差を記録する時間差記録手段
を備え、
前記信号抽出手段は、
前記所定の信号を検出したタイミング及び前記時間差記録手段が記録した各時間差に基づいて、爾後の付加情報信号を抽出するようにしてある
ことを特徴とする請求項１から請求項３までのいずれか一項に記載の受信装置。
【請求項５】
前記受信手段が受信したテレビジョン放送の受信信号の強度を検出する強度検出手段と、
該強度検出手段により検出された受信強度が所定の受信強度より弱か否か判定する強度判定手段と
を備え、
前記信号抽出手段は、
前記強度判定手段が弱と判定した場合、爾後の付加情報信号を抽出するようにしてある
ことを特徴とする請求項１から請求項４までのいずれか一項に記載の受信装置。
【請求項６】
前記受信手段が受信するテレビジョン放送を選局する選局手段と、
該選局手段が選局したテレビジョン放送の受信強度を検出する選局強度検出手段と、
該選局強度検出手段により検出された受信強度が所定の受信強度より弱か否か判定する選局強度判定手段と
を備え、
前記信号抽出手段は、
前記選局強度判定手段が弱と判定した場合、爾後の付加情報信号を抽出するようにしてある
ことを特徴とする請求項１から請求項５までのいずれか一項に記載の受信装置。
【請求項７】
前記付加情報信号は、映像のアスペクト比を指定するＷＳＳ信号を含む
ことを特徴とする請求項１から請求項６までのいずれか一項に記載の受信装置。
【発明の詳細な説明】
【技術分野】
【０００１】
本発明は、テレビジョン放送を受信する受信装置に関する。
【背景技術】
【０００２】
テレビ（テレビジョン）放送のＶＢＩ（Vertical Blanking Interval）信号には、映像のアスペクト比を含むＷＳＳ（Wide Screen Signal）信号等の付加情報信号が重畳されている。ＷＳＳ信号等は付加的な機能であるため、抽出精度や信号判定機能が弱い。そのため、従来の受信装置は、電波強度が微弱な場合、長時間をかけてＷＳＳ信号が複数回一致したとき、映像のアスペクト比を更新している。
特許文献１には、ＣＲＩ（Clock Run In）信号、ＦＣ（Framing Code）信号及びＷＳＳ信号のデータエラーに基づいて、ＶＢＩ信号の有無を判定するＶＢＩ信号有無判定装置が開示されている。
【先行技術文献】
【特許文献】
【０００３】
【特許文献１】特開２００８−２２８００８号公報
【発明の概要】
【発明が解決しようとする課題】
【０００４】
しかしながら、電波強度が微弱な場合、ＶＢＩ信号の有無を判定しただけでは、ＶＢＩ信号に含まれる付加情報を抽出することはできない。また、従来の受信装置は、電波強度が微弱な場合、ＷＳＳ信号に含まれる映像のアスペクト比を抽出することができるときと、できないときとを繰り返す。そのため、従来の受信装置は、映像のアスペクト比を頻繁に切り替えることから、映像の視聴に悪影響を及ぼす。
【０００５】
本発明は、斯かる事情に鑑みてなされたものであって、その目的とするところは、電波強度が微弱な場合であっても、テレビジョン放送の受信信号に重畳された付加情報信号を安定して抽出することができる受信装置を提供することにある。
【課題を解決するための手段】
【０００６】
本願に係る受信装置は、テレビジョン放送を受信する受信手段と、該受信手段が受信したテレビジョン放送の映像信号の垂直帰線期間に重畳されている付加情報信号を抽出する信号抽出手段とを備え、該信号抽出手段は、前記付加情報信号に含まれる付加情報の種類を示す識別コードを抽出するコード抽出手段と、該コード抽出手段が抽出した識別コードが所定の規格に定められた識別コードと一致するか否か判定するコード判定手段とを有し、該コード判定手段により識別コードが所定の規格に定められた識別コードと一致すると判定された場合、前記映像信号から爾後の付加情報信号を抽出するようにしてある受信装置において、前記信号抽出手段を複数備え、一の信号抽出手段が有する前記コード抽出手段が識別コードの抽出に失敗した場合、又は一の該信号抽出手段が有する前記コード判定手段により識別コードが所定の規格に定められた識別コードと一致しないと判定された場合、他の信号抽出手段が爾後の付加情報信号を抽出するようにしてあることを特徴とする。
【０００７】
本願に係る受信装置は、前記受信手段が受信したテレビジョン放送の受信信号を増幅する増幅手段と、該増幅手段の利得を制御する利得制御手段とを備え、該利得制御手段は、前記信号抽出手段が有する前記コード抽出手段が識別コードの抽出に失敗した場合、又は該信号抽出手段が有する前記コード判定手段により識別コードが所定の規格に定められた識別コードと一致しないと判定された場合、前記増幅手段の利得を変更するようにしてあることを特徴とする。
【０００８】
本願に係る受信装置は、前記受信手段が受信したテレビジョン放送の映像信号に含まれる所定の信号を検出した時点と、前記付加情報信号の開始及び終了を各検出した時点の夫々との時間差を検出する時間差検出手段を備え、前記信号抽出手段は、前記所定の信号を検出したタイミング及び前記時間差検出手段が検出した各時間差に基づいて、爾後の付加情報信号を抽出するようにしてあることを特徴とする。
【０００９】
本願に係る受信装置は、前記時間差検出手段が検出した各時間差を記録する時間差記録手段を備え、前記信号抽出手段は、前記所定の信号を検出したタイミング及び前記時間差記録手段が記録した各時間差に基づいて、爾後の付加情報信号を抽出するようにしてあることを特徴とする。
【００１０】
本願に係る受信装置は、前記受信手段が受信したテレビジョン放送の受信信号の強度を検出する強度検出手段と、該強度検出手段により検出された受信強度が所定の受信強度より弱か否か判定する強度判定手段とを備え、前記信号抽出手段は、前記強度判定手段が弱と判定した場合、爾後の付加情報信号を抽出するようにしてあることを特徴とする。
【００１１】
本願に係る受信装置は、前記受信手段が受信するテレビジョン放送を選局する選局手段と、該選局手段が選局したテレビジョン放送の受信強度を検出する選局強度検出手段と、該選局強度検出手段により検出された受信強度が所定の受信強度より弱か否か判定する選局強度判定手段とを備え、前記信号抽出手段は、前記選局強度判定手段が弱と判定した場合、爾後の付加情報信号を抽出するようにしてあることを特徴とする。
【００１２】
本願に係る受信装置は、前記付加情報信号は、映像のアスペクト比を指定するＷＳＳ信号を含むことを特徴とする。
【００１３】
本願に係る受信装置にあっては、複数の信号抽出手段を備えている。信号抽出手段は、付加情報の種類を示す識別コードが所定の規格に定められた識別コードと一致する場合、受信したテレビジョン放送の映像信号から垂直帰線期間に重畳されている爾後の付加情報信号を抽出する。識別コードの抽出に失敗した場合、又は識別コードが所定の規格に定められた識別コードに一致しない場合、他の信号抽出手段が爾後の付加情報信号を抽出する。
【００１４】
本願に係る受信装置にあっては、テレビジョン放送の受信信号を増幅する増幅手段と、増幅手段の利得を制御する利得制御手段とを備えている。利得制御手段は、識別コードの抽出に失敗した場合、又は識別コードが所定の規格に定められた識別コードに一致しない場合、増幅手段の利得を上げたり、下げたりする。
【００１５】
本願に係る受信装置にあっては、時間差検出手段は、テレビジョン放送の映像信号に含まれる所定の信号を検出した時点と、付加情報信号の開始を検出した時点との時間差を検出する。また、時間差検出手段は、テレビジョン放送の映像信号に含まれる所定の信号を検出した時点と、付加情報信号の終了を検出した時点との時間差を検出する。信号抽出手段は、所定の信号を検出したタイミングと、時間差検出手段が検出した各時間差とに基づいて、爾後の付加情報信号を抽出する。
【００１６】
本願に係る受信装置にあっては、時間差記録手段は検出した各時間差を記録する。信号抽出手段は、所定の信号を検出したタイミングと、時間差記録手段が記録した各時間差とに基づいて、爾後の付加情報信号を抽出する。
【００１７】
本願に係る受信装置にあっては、テレビジョン放送の受信強度を検出する強度検出手段を備えている。信号抽出手段は、強度検出手段により検出された受信強度が所定の受信強度より弱と判定された場合、爾後の付加情報信号を抽出する。
【００１８】
本願に係る受信装置にあっては、選局したテレビジョン放送の受信強度を検出する選局強度検出手段を備えている。信号抽出手段は、選局強度検出手段により検出された受信強度が所定の受信強度より弱と判定された場合、爾後の付加情報信号を抽出する。
【００１９】
本願に係る受信装置にあっては、付加情報信号には、映像のアスペクト比を指定するＷＳＳ信号が含まれる。
【発明の効果】
【００２０】
開示する受信装置は、電波強度が微弱な場合であっても、テレビジョン放送の受信信号に重畳された付加情報信号を安定して抽出することができる。
【図面の簡単な説明】
【００２１】
【図１】本実施の形態に係る受信装置のブロック図である。
【図２】チューナ部の一例を示すブロック図である。
【図３】ＶＢＩ信号、フィールド及びフレームの関係の一例を示す説明図である。
【図４】１フィールドにおける垂直帰線期間及びＷＳＳ信号の一例を示す説明図である。
【図５】受信装置の処理の手順を示すフローチャートである。
【図６】受信装置の処理の手順を示すフローチャートである。
【図７】受信装置の処理の手順を示すフローチャートである。
【図８】受信装置の処理の手順を示すフローチャートである。
【発明を実施するための形態】
【００２２】
以下、本発明の一実施例における受信装置を、実施の形態を示す図面に基づいて説明する。なお、本発明は、以下の実施の形態に限定されるものではない。
本実施の形態は、２つのチューナを搭載したダブルチューナ搭載型の受信装置に関する。１つのチューナがアナログテレビ放送の映像信号の垂直帰線期間に重畳されている付加情報信号を抽出できない場合、もう１つのチューナが付加情報信号を抽出する。
【００２３】
また、本実施の形態は、付加情報信号を抽出するタイミングを予め記録しておき、電波強度が微弱な場合、記録したタイミングにより付加情報信号を抽出する形態に関する。
付加情報信号は、例えばＷＳＳ信号、ＣＣ（Closed Captioning）信号、テレテキスト信号等を含む。本実施の形態では、付加情報信号の一例として、ＷＳＳ信号を扱う。
【００２４】
図１は、本実施の形態に係る受信装置１のブロック図である。
受信装置１は、チューナ部（受信手段）１０、２０、ＣＰＵ１１、メモリ１２、受光部１３及び選局部（選局手段）１４を含む。
【００２５】
チューナ部２０の構成は、チューナ部１０の構成と同じであるので、ここではチューナ部１０のみについて説明する。
チューナ部１０は、外部のアンテナＡが受信したアナログテレビ放送信号を選局する。チューナ部１０は、選局したアナログテレビ放送の受信信号を後述のＡＶスイッチ部１５へ出力する。チューナ部１０は、チャンネル自動チューニング時及びチャンネル手動チューニング時に、アンテナＡからの受信強度及び選局しているチャンネルの受信強度を示す信号をＣＰＵ１１に出力する。チューナ部１０は、通常動作時にも、アンテナＡの受信強度及び選局しているチャンネルの受信強度をＣＰＵ１１に出力する。
【００２６】
図２は、チューナ部１０、２０の一例を示すブロック図である。
チューナ部１０は、増幅回路（増幅手段）１０ａ、信号強度検出回路（強度検出手段、選局強度検出手段）１０ｂ、ＡＧＣ（Automatic Gain Control）（利得制御手段）１０ｃ、タイマ１０ｄ及びＶＢＩ信号分離部（信号抽出手段）１０ｅを含む。
増幅回路１０ａは、アナログテレビ放送の受信信号を所定の増幅率で増幅する。この増幅率はＡＧＣ１０ｃから出力される信号によって制御される。増幅回路１０ａは、受信信号を信号強度検出回路１０ｂに出力する。
信号強度検出回路１０ｂは、増幅回路１０ａから受信信号を受け付け、受信信号の強度を検出する。信号強度検出回路１０ｂは、受信信号の強度をＡＧＣ１０ｃ及びＣＰＵ１１に出力する。
【００２７】
ＡＧＣ１０ｃは、入力信号の強度を検出し、検出した入力信号が弱い場合にはゲイン（利得）を上げ、逆に入力信号が強い場合にはゲインを下げて出力することによって、出力が常に一定であるように、入力信号を可変制御する回路である。
ＡＧＣ１０ｃは、信号強度検出回路１０ｂから受信信号の強度を受け付ける。ＡＧＣ１０ｃは、信号強度検出回路１０ｂから受け付けた受信信号の強度を制御対象の強度と比較し、増幅回路１０ａに新たな増幅率を設定するための信号を出力する。
また、ＡＧＣ１０ｃは、ＣＰＵ１１からの制御に応じた信号を増幅回路１０ａに出力することにより、増幅回路１０ａのゲインを変更する。
【００２８】
タイマ１０ｄは、計時を信号としてＶＢＩ信号分離部１０ｅに送信する。
なお、タイマ１０ｄは、チューナ部１０の外部に設けた受信装置１の構成部としてもよい。
【００２９】
図３は、ＶＢＩ信号、フィールド及びフレームの関係の一例を示す説明図である。周期的な１フレームは２フィールドからなり、１フィールドの先頭の垂直帰線期間にＶＢＩ信号が重畳又は付加されている。
図４は、１フィールドにおける垂直帰線期間及びＷＳＳ信号の一例を示す説明図である。図４Ａは、アナログテレビ信号の１フィールドにおける垂直帰線期間を示す説明図である。ＷＳＳ信号は、例えばＰＡＬ方式の場合、垂直帰線期間のＶＢＩ信号の２３ライン目として付加されている。
図４Ｂは、ＷＳＳ信号の概略波形を示す説明図である。ＷＳＳ信号は、伝送データ信号のランインと、スタートコードと、１４ビットのデータ部とを含む。ＷＳＳ信号の詳細な規格は、例えばＥＴＳ（欧州電気通信標準）３００２９４等に規定されている。ランイン及びスタートコードは、これらを含むＷＳＳ信号が、所定の規格に合致するか否かを判定するための識別コードに該当する。
【００３０】
ＶＢＩ信号分離部１０ｅは、映像信号の垂直帰線期間に重畳されている付加情報信号を抽出する構成部である。付加情報信号の一例は、ＷＳＳ信号である。
図２に示すように、ＶＢＩ信号分離部１０ｅは、分離部１１ｅ、抽出部（コード抽出手段）１２ｅ、判定部（コード判定部）１３ｅ及び時間検出部１４ｅ（時間差検出手段）を含む。
分離部１１ｅは、受信信号からＶＢＩ信号を分離する。分離部１１ｅは、分離したＶＢＩ信号を抽出部１２ｅに出力する。抽出部１２ｅはＶＢＩ信号を受け付ける。抽出部１２ｅは、受け付けたＶＢＩ信号からＷＳＳ信号に含まれるランイン及びスタートコードを抽出する。抽出部１２ｅは、抽出したＷＳＳ信号に含まれるランイン及びスタートコードを判定部１３ｅに出力する。
【００３１】
判定部１３ｅは、抽出部１２ｅが抽出したＷＳＳ信号に含まれるランイン及びスタートコードを受け付ける。判定部１３ｅは、受け付けたランイン及びスタートコードがＷＳＳ信号の規格に合致している場合、ＷＳＳ信号の抽出は可能と判定する。判定部１３ｅは、受け付けたランイン及びスタートコードがＷＳＳ信号の規格に合致していない場合、ＷＳＳ信号の抽出は不可能と判定する。また、判定部１３ｅは、電波強度が微弱なため、抽出部１２ｅがランイン及びスタートコードを抽出することができないときも、ＷＳＳ信号の抽出は不可能と判定する。判定部１３ｅは、ＷＳＳ信号の抽出の可否をＣＰＵ１１に出力する。
【００３２】
時間検出部１４ｅは、映像信号に含まれる所定の信号からＷＳＳ信号の始まり及び終わりまでの経過時間を、タイマ１０ｄに基づき夫々検出し、ＣＰＵ１１に出力する。所定の信号は、例えば垂直帰線期間の始まりの垂直同期信号である。
【００３３】
ＶＢＩ信号分離部１０ｅは、判定部１３ｅがＷＳＳ信号の抽出は可能と判定した場合、分離部１１ｅが分離したＶＢＩ信号から爾後のＷＳＳ信号を抽出する。
ＶＢＩ信号分離部１０ｅは、判定部１３ｅがＷＳＳ信号の抽出は可能と判定した場合、爾後のＷＳＳ信号のデータ部の読み込みを開始する。映像のアスペクト比は、ＰＡＬ方式の場合、ＷＳＳ信号のデータ部の１１ビット目から１４ビット目までの４ビットに記録されている。例えば、ビット列が１０００である場合、アスペクト比は４：３である。ビット列が１０１１である場合、アスペクト比は１６：９であり、レターボックスモードである。
【００３４】
ＶＢＩ信号分離部１０ｅは、読み込んだデータ部から映像のアスペクト比を抽出し、抽出したアスペクト比をＣＰＵ１１に出力する。なお、ＶＢＩ信号分離部１０ｅは、ＷＳＳ信号をＣＰＵ１１に出力し、ＣＰＵ１１が受け付けたＷＳＳ信号からアスペクト比を抽出してもよい。
ＶＢＩ信号分離部１０ｅは、ＷＳＳ信号以外の付加情報信号も抽出し、抽出した付加情報信号をＣＰＵ１１に出力する。
【００３５】
ＶＢＩ信号分離部１０ｅは、電波強度が微弱である場合、ＷＳＳ信号を抽出できないことがある。かかる場合、ＶＢＩ信号分離部１０ｅは、予め時間検出部１４ｅがＣＰＵ１１に出力した所定の信号からＷＳＳ信号の始まり及び終わりまでの経過時間をＣＰＵ１１から受け付け、この経過時間に基づいてＷＳＳ信号を抽出する。すなわち、ＶＢＩ信号分離部１０ｅは所定の信号を検出したタイミングから上記の経過時間が経過したタイミングに基づいて、ＷＳＳ信号を抽出する。
なお、ＷＳＳ信号の始まり及び終わりのタイミングを検出する基準の信号は、垂直帰線期間の始まりの垂直同期信号に限らない。ＷＳＳ信号の始まり及び終わりのタイミングを検出することができる信号であれば、どのような信号でもよい。
【００３６】
時間検出部１４ｅは、映像信号に含まれる垂直帰線期間の始まりの垂直同期信号からＷＳＳ信号の所定の信号（例えば、スタートコード）までの時間をＣＰＵ１１に出力してもよい。電波強度が微弱である場合、ＶＢＩ信号分離部１０ｅは、予め時間検出部１４ｅがＣＰＵ１１に出力したスタートコードの信号までの時間をＣＰＵ１１から受け付ける。ＶＢＩ信号分離部１０ｅは、垂直帰線期間の始まりの垂直同期信号を検出したタイミング及びスタートコードの信号までの時間に基づいて、スタートコードの信号以降のＷＳＳ信号を抽出する。ＷＳＳ信号に含まれるスタートコードの信号からアスペクト比までのビット数は予め規定されているので、ＶＢＩ信号分離部１０ｅは、受け付けた所定の信号までの時間に基づいてアスペクト比を抽出することができる。
【００３７】
ＣＰＵ１１は、図１に図示した回路又は図示しない回路を介して、受信装置１全体を制御する。ＣＰＵ１１は、ユーザからの命令を受光部１３から受け付け、ユーザの命令を実行するよう受信装置１の各構成部を制御する。
例えば、ＣＰＵ１１は、信号強度検出回路１０ｂから増幅回路１０ａが増幅した受信信号の強度を受け付け、増幅回路１０ａが所定の増幅率で増幅する前のアンテナＡの受信強度を求める。同様にして、ＣＰＵ１１は、選局されているチャンネルの受信強度を求める。
ＣＰＵ１１は、ＡＧＣ１０ｃに受信感度を変更するよう命令する。また、ＣＰＵ１１は、ＶＢＩ信号分離部１０ｅから信号として各種付加情報を受け付け、受け付けた各種付加情報をメモリ１２に記録する。ＣＰＵ１１は、ＶＢＩ信号分離部１０ｅから受け付けた各種付加情報のうち、映像処理に関する付加情報を映像出力変換部１７に出力する。
【００３８】
メモリ１２は、書き換え可能な不揮発性メモリであり、例えばフラッシュメモリ、ＵＶ−ＥＰＲＯＭ（Ultra-Violet Erasable Programmable Read Only Memory）等である。メモリ１２は、ＣＰＵ１１が実行する各種プログラムを記録している。メモリ１２は、ＣＰＵ１１が処理中の一時的データ、ＶＢＩ信号分離部１０ｅから出力された各種付加情報等を記録する。
【００３９】
チャンネル自動チューニング時及びチャンネル手動チューニング時に、チューナ部１０がスキャンして検出したアンテナＡの受信強度は、ＣＰＵ１１によりメモリ１２に記録される。同様に、各チャンネルの受信強度もＣＰＵ１１によりメモリ１２に記録される。また、通常動作時にも、アンテナＡの受信強度及び選局されているチャンネルの受信強度が、ＣＰＵ１１によりメモリ１２に記録される。
さらに所定の垂直同期信号からＷＳＳ信号の始まり及び終わりまでの経過時間が、夫々ＣＰＵ１１によりメモリ１２に記録される。
【００４０】
受光部１３は、外部のリモートコントローラ１ａから赤外線の信号を受光し、受光した赤外線の信号を電気信号に変換して選局部１４に出力する。
選局部１４は、受光部１３から受け付けた電気信号をチューナ部１０に出力する。チューナ部１０は、選局部１４からの信号に基づき、受信するチャンネルを選局する。
【００４１】
受信装置１は、ＡＶスイッチ部１５、映像セレクタ部１６、映像出力変換部１７、音声セレクタ部１８及び音声出力変換部１９を含む。
ＡＶスイッチ部１５は、チューナ部１０、２０から受け付けた受信信号から映像信号及び音声信号を抽出する。ＡＶスイッチ部１５は、抽出した映像信号及び音声信号を、夫々映像セレクタ部１６及び音声セレクタ部１８に出力する。
【００４２】
映像セレクタ部１６は、アナログテレビ放送と外部入力部２１との映像信号を切り替え、切り替えた映像信号を映像出力変換部１７に出力する。
【００４３】
映像出力変換部１７は、映像セレクタ部１６から映像信号を、ＣＰＵ１１から映像のアスペクト比を受け付ける。映像出力変換部１７は、図示しない記録部を有し、受け付けたアスペクト比を記録部に記録する。映像出力変換部１７は、受け付けたアスペクト比を有する映像の映像信号を生成する。
映像出力変換部１７は、ＣＰＵ１１から映像のアスペクト比の出力が途絶えた場合、ＣＰＵ１１から最後に受け付けたアスペクト比を記録部から読み込み、映像信号を生成する。
映像出力変換部１７は、ＣＣ信号の字幕データ等をＣＰＵ１１から受け付けた場合、受け付けた字幕データ等を生成した映像信号と重畳する。映像出力変換部１７は、生成した映像信号又は字幕データ等と重畳された映像信号を出力用の映像信号に変換し、外部の表示装置３に出力する。
【００４４】
外部の表示装置３は、映像出力変換部１７から受け付けた映像信号に基づいて、映像を表示する。表示装置３は、例えば液晶パネルとバックライトとを有する液晶表示装置であるが、ＣＲＴディスプレイを有する表示装置であってもよい。
なお、アスペクト比の変更があった場合、上記では映像出力変換部１７が新たなアスペクト比に対応した映像信号を生成した。しかし、表示装置３が映像出力変換部１７からアスペクト比を受け付け、表示装置３が受け付けたアスペクト比に対応した映像を表示する形態であってもよい。かかる場合、表示装置３は、図示しない記録部を有し、受け付けたアスペクト比を記録部に記録する。表示装置３は、映像出力変換部１７からアスペクト比の出力が途絶えた場合、映像出力変換部１７から最後に受け付けたアスペクト比を記録部から読み込み、映像を表示する。
【００４５】
音声セレクタ部１８は、アナログテレビ放送と外部入力部２１との音声信号を切り替え、切り替えた音声信号を音声出力変換部１９に出力する。
音声出力変換部１９は、音声セレクタ部１８から受け付けた音声信号を出力信号に変換する。音声出力変換部１９が変換した音声信号は、外部のスピーカ４に出力される。
外部のスピーカ４は、音声出力変換部１９から受け付けた音声信号に基づいて、音声を出力する。
【００４６】
受信装置１は、外部入力部２１、記録再生部２２、ＯＰＣセンサ３１及び人感センサ３２を含む。
外部入力部２１は、記録再生装置２及び記録再生部２２と接続されている。記録再生装置２は、ＢＤ、ＤＶＤ、ＣＤ等の光ディスク、ハードディスク又は不揮発メモリ等の記録媒体２ａから映像音声情報を再生し、記録媒体２ａに映像音声情報を記録する。記録再生装置２は、外部の装置である。記録再生部２２は、外部の記録媒体２ａから映像音声情報を再生し、又は当該記録媒体２ａに映像音声情報を記録する。
【００４７】
外部入力部２１は、記録再生装置２又は記録再生部２２と映像音声情報の入出力をする。外部入力部２１は、記録再生装置２又は記録再生部２２から受け付けた映像音声情報を映像情報と音声情報とに分離し、夫々信号として映像セレクタ部１６及び音声セレクタ部１８に出力する。さらに、外部入力部２１は、映像セレクタ部１６及び音声セレクタ部１８から夫々映像信号及び音声信号を受け付ける。
なお、受信装置１は、記録再生部２２を含まなくてもよい。
【００４８】
ＯＰＣセンサ３１は、例えばフォトダイオードからなり、受信装置１が設置された環境の照度を検出し、検出した照度に対応する信号をＣＰＵ１１に出力する。ＣＰＵ１１と表示装置３とは、図１に図示しない回線により電気的に接続されており、ＣＰＵ１１は、ＯＰＣセンサ３１から受け付けた信号に応じて、表示装置３が表示する映像の輝度を調節する。例えば、表示装置３が液晶表示装置である場合、ＣＰＵ１１は液晶表示装置のバックライトの明暗を調節する。ＣＰＵ１１は、周囲が暗い場合にはバックライトの明るさを抑え、周囲が明るい場合にはバックライトの明るさを強めることで、液晶表示装置が表示する映像を見やすくすると共に、液晶表示装置の電力消費を抑える。
【００４９】
人感センサ３２は、例えば赤外線センサ、超音波センサであり、受信装置１の前にユーザがいるかいないかを検出し、その結果を信号としてＣＰＵ１１へ出力する。ＣＰＵ１１は、人感センサ３２からユーザがいる旨の信号を受信した場合、受信装置１を動作させる。ＣＰＵ１１は、人感センサ６からユーザがいない旨の信号を受信した場合、受信装置１をスタンバイモードにするか又はパワーオフモードにする。これにより、受信装置１の省電効果を図ることができる。
【００５０】
なお、受信装置１のＡＶモードには、ＴＶモード、外部入力モード、スタンバイモード及びパワーオフモードの４種類がある。
ＴＶモードは、アナログテレビ放送の映像音声情報を外部の表示装置３及びスピーカ４に出力する場合のＡＶモードである。外部入力モードは、外部入力部２１から外部の記録媒体２ａに記録された映像音声情報を外部の表示装置３及びスピーカ４に出力する場合のＡＶモードである。スタンバイモードは、節電モードであり、受信装置１の限られた構成部のみに電力が供給される場合のＡＶモードである。スタンバイモードでも、ＣＰＵ１１には電力が供給される。パワーオフモードは、スタンバイモードよりもさらに低消費電力状態になるＡＶモードである。パワーオフモードでは、ＣＰＵ１１への電力供給は停止される。
【００５１】
次に、本実施の形態に係る受信装置１の動作について説明する。
ＣＰＵ１１は、受光部１３を介して外部のリモートコントローラ１ａからモード切替信号を受信する毎に、受信装置１のＡＶモードをモード切替信号に対応したＡＶモードに切り替える。また、ＣＰＵ１１は、受光部１３を介して外部のリモートコントローラ１ａからモード切替信号を受信した場合、ＴＶモード、外部入力モード又はスタンバイモードに移行したとき、移行した新たなＴＶモード、外部入力モード又はスタンバイモードの識別情報をメモリ１２に記録する。
【００５２】
受信装置１の電源スイッチが入れられた場合（パワーオン）、ＣＰＵ１１はメモリ１２から最後に記録されたＡＶモード（ＴＶモード、外部入力モード又はスタンバイモード）を読み込む。ＣＰＵ１１は、最後のＡＶモードがＴＶモードである場合、アナログテレビ放送の映像音声情報を外部の表示装置３及びスピーカ４に出力する。ＣＰＵ１１は、最後のＡＶモードが外部入力モード又はスタンバイモードである場合、外部入力部２１又はリモートコントローラ１ａからの信号入力を待機する。
【００５３】
ＣＰＵ１１は、チューナ部１０からアンテナＡの受信強度及び選局しているチャンネルの受信強度を受け付け、メモリ１２に記録する。ＶＢＩ信号分離部１０ｅは、受信信号からＶＢＩ信号を分離する。ＶＢＩ信号分離部１０ｅは、ＷＳＳ信号のランイン及びスタートコードに基づいて、ＷＳＳ信号を抽出できるか否か判断する。ＶＢＩ信号分離部１０ｅは、判断結果をＣＰＵ１１に出力する。
【００５４】
ＶＢＩ信号分離部１０ｅは、ＷＳＳ信号を抽出できる場合、例えば垂直同期信号を検出した時点からＷＳＳ信号が始まるタイミング及び終わるタイミングを検出し、これらのタイミングをＷＳＳ信号のタイミングとしてＣＰＵ１１に出力する。
ＶＢＩ信号分離部１０ｅは、ＷＳＳ信号を抽出できる場合、爾後のＷＳＳ信号を抽出し、ＷＳＳ信号から映像のアスペクト比を抽出する。ＶＢＩ信号分離部１０ｅは、抽出した映像のアスペクト比をＣＰＵ１１に出力する。ＣＰＵ１１は、ＷＳＳ信号のタイミング及び映像のアスペクト比を受け付け、受け付けた映像のアスペクト比をメモリ１２に記録する。
【００５５】
ＣＰＵ１１は、ＶＢＩ信号分離部１０ｅがＷＳＳ信号を抽出できない場合、別のチューナ部２０のＶＢＩ信号分離部２０ｅにＷＳＳ信号を抽出するように命じる。ＣＰＵ１１は、ＶＢＩ信号分離部２０ｅがＷＳＳ信号を抽出できない場合、チューナ部２０のＡＧＣ２０ｃに増幅回路２０ａのゲインを上げさせて、再びＶＢＩ信号分離部２０ｅにＷＳＳ信号を抽出するように命じる。
ＶＢＩ信号分離部２０ｅは、ＷＳＳ信号を抽出できる場合、例えば垂直同期信号を検出した時点からＷＳＳ信号が始まるタイミング及び終わるタイミングを検出し、これらのタイミングをＷＳＳ信号のタイミングとしてＣＰＵ１１に出力する。
ＶＢＩ信号分離部２０ｅは、ＷＳＳ信号を抽出できる場合、爾後のＷＳＳ信号を抽出し、ＷＳＳ信号から映像のアスペクト比を抽出する。ＶＢＩ信号分離部２０ｅは、抽出した映像のアスペクト比をＣＰＵ１１に出力する。ＣＰＵ１１は、ＷＳＳ信号のタイミング及び映像のアスペクト比を受け付け、受け付けた映像のアスペクト比をメモリ１２に記録する。
【００５６】
ＣＰＵ１１は、メモリ１２からアンテナＡの受信強度及び選局しているチャンネルの受信強度を読み込む。ＣＰＵ１１は、読み込んだアンテナＡの受信強度及び選局しているチャンネルの受信強度が、予め設定した強度値より上であると判断した場合、受信強度は通常であると判断する。そして、ＣＰＵ１１は、ＷＳＳ信号に基づいて映像のアスペクト比を更新する通常の処理をする。一方、ＣＰＵ１１は、読み込んだアンテナＡの受信強度又は選局しているチャンネルの受信強度が、予め設定した強度値以下である場合、受信強度は弱であると判断する。そして、ＣＰＵ１１は、記録したＷＳＳ信号のタイミングを利用して映像のアスペクト比を更新する処理をする。ここで予め設定する強度値は、例えばＷＳＳ信号を安定して抽出することができる強度値である。
【００５７】
なお、上記において通常の処理をすると判断する場合は、アンテナＡの受信強度等が予め設定した強度値より上である場合であるが、アンテナＡの受信強度等が予め設定した強度値以上である場合に、通常の処理をすると判断してもよい。同様に、アンテナＡの受信強度等が予め設定した強度値未満である場合に、ＷＳＳ信号のタイミングを利用した処理を行ってもよい。
【００５８】
まず、受信強度が通常である場合の処理について説明する。
ＣＰＵ１１は、次々とＶＢＩ信号分離部１０ｅから映像のアスペクト比を受け付ける。ＣＰＵ１１は、受け付けたアスペクト比をメモリ１２に記録する。そして、ＣＰＵ１１は、メモリ１２から前回のアスペクト比を読み込み、前回のアスペクト比が最新のアスペクト比と一致するか否か判断する。
【００５９】
ＣＰＵ１１は、アスペクト比の一致回数及び不一致回数を記録するカウンタ変数を用意する。ＣＰＵ１１は、アスペクト比の一致が継続する場合、一致回数のカウンタ変数をインクリメントする。ＣＰＵ１１は、アスペクト比の不一致が継続する場合、不一致回数のカウンタ変数をインクリメントする。ＣＰＵ１１は、アスペクト比の一致又は不一致が起こった場合、夫々不一致回数又は一致回数のカウンタ変数に０を代入して初期化する。ＣＰＵ１１は、一致回数及び不一致回数のカウンタ変数の値に基づいて、現時点のアスペクト比の一致回数及び不一致回数を把握する。
【００６０】
ＣＰＵ１１はアスペクト比の一致回数が所定回数に達した場合、一致したアスペクト比に映像を反映させ、一致回数及び不一致回数のカウンタ変数を初期化する。ＷＳＳ信号のアスペクト比に変化がない限り、アスペクト比の抽出を所定回数繰り返す毎に映像のアスペクト比は更新されるが、映像に変化はない。
ＷＳＳ信号のアスペクト比が別の値に変化した場合、不一致回数のカウンタ変数がインクリメントされる。ＣＰＵ１１は、アスペクト比が不一致になった後、アスペクト比の一致が起きた場合、一致回数及び不一致回数のカウンタ変数を初期化して、処理を受信強度が通常である場合の処理の最初に戻す。
ＣＰＵ１１は、アスペクト比の不一致が所定回数連続した場合、アンテナＡの受信強度又は選局しているチャンネルの受信強度が弱い場合の処理へ移行する。
【００６１】
次に、受信強度が通常ではなく、弱い場合の処理について説明する。
ＣＰＵ１１は、ＷＳＳ信号のタイミングをメモリ１２から読み込む。ＣＰＵ１１は、垂直同期信号から読み込んだＷＳＳ信号のタイミングでＷＳＳ信号を抽出するようにＶＢＩ信号分離部１０ｅに命令する。
ＶＢＩ信号分離部１０ｅは、受け付けたタイミングでＷＳＳ信号を抽出する。ＶＢＩ信号分離部１０ｅは、ランイン及びスタートコードに該当する情報から、抽出した信号がＷＳＳ信号か否か判定する。ＶＢＩ信号分離部１０ｅは、判定結果をＣＰＵ１１に出力する。
【００６２】
ＶＢＩ信号分離部１０ｅは、爾後のＷＳＳ信号を抽出した場合、ＷＳＳ信号から映像のアスペクト比を抽出する。ＶＢＩ信号分離部１０ｅは、抽出した映像のアスペクト比をＣＰＵ１１に出力する。ＣＰＵ１１は、映像のアスペクト比を受け付け、受け付けた映像のアスペクト比で映像信号を処理するように、映像出力変換部１７に命令する。
ＣＰＵ１１は、ＶＢＩ信号分離部１０ｅがＷＳＳ信号を抽出できないと判定し、その結果を受け付けた場合、映像出力変換部１７に何も命令しない。かかる場合、映像出力変換部１７は、最後に記録部に記録されたアスペクト比に基づいて、映像信号を生成する。
【００６３】
ＣＰＵ１１は、ＴＶモードからＴＶモード以外のＡＶモードに移行するモード切替信号を受信したか否か判断する。ＣＰＵ１１は、ＴＶモード以外のＡＶモードに移行するモード切替信号を受信していない場合、受信強度が弱い場合の上記の処理を繰り返す。
ＣＰＵ１１は、ＴＶモード以外のＡＶモードに移行するモード切替信号を受信した場合、チューナ部１０からアンテナＡの受信強度及び選局しているチャンネルの受信強度を受け付け、メモリ１２に記録する。ここで、ＴＶモード以外のＡＶモードは、外部入力モード、スタンバイモード及びパワーオフモードである。アンテナＡ等の受信強度をメモリ１２に記録する理由は、再びＴＶモードに移行した場合、その後アンテナＡ等の受信強度の検出及び記録処理を省くためである。
【００６４】
ＣＰＵ１１は、受信したモード切替信号が外部入力モードであり、その後ＴＶモードのモード切替信号を受信した場合、パワーオン後にＷＳＳ信号を抽出する処理に戻る。
ＣＰＵ１１は、受信したモード切替信号がスタンバイモードである場合、節電のため待機状態になる。
ＣＰＵ１１は、受信したモード切替信号がパワーオフモードである場合、処理を終了する。
【００６５】
図５、図６、図７及び図８は、受信装置１の処理の手順を示すフローチャートである。
ＣＰＵ１１は、受信装置１の電源スイッチが入れられた場合、メモリ１２から最後に記録されたＡＶモードを読み込み、当該ＡＶモードがＴＶモードか否か判断する（ステップＳ１０１）。ＣＰＵ１１は、当該ＡＶモードがＴＶモードでない場合（ステップＳ１０１：ＮＯ）、ＴＶモードに移行するモード切替信号を受信したか否か判断する（ステップＳ１０２）。ＣＰＵ１１は、ＴＶモードに移行するモード切替信号を受信しない場合（ステップＳ１０２：ＮＯ）、ステップＳ１０２に処理を戻す。
【００６６】
ＣＰＵ１１は、受信装置１の電源スイッチが入れられた場合のＡＶモードがＴＶモードである場合（ステップＳ１０１：ＹＥＳ）、ステップＳ１０３に処理を進める。また、ＣＰＵ１１は、ＴＶモードに移行するモード切替信号を受信した場合（ステップＳ１０２：ＹＥＳ）、ステップＳ１０３に処理を進める。
【００６７】
ＣＰＵ１１は、アンテナＡの受信強度及び選択されているチャンネルの受信強度をチューナ部１０から受け付け、メモリ１２に記録する（ステップＳ１０３）。
ＣＰＵ１１は、ＷＳＳ信号を抽出できるか否か判断する（ステップＳ１０４）。ＣＰＵ１１は、ＷＳＳ信号を抽出できると判断した場合（ステップＳ１０４：ＹＥＳ）、垂直同期信号からＷＳＳ信号の始まる時間と終わる時間とのタイミングを検出し、検出したタイミングをメモリ１２に記録する（ステップＳ１０５）。ＣＰＵ１１は、ＷＳＳ信号から映像のアスペクト比を抽出し、抽出した映像のアスペクト比をメモリ１２に記録する（ステップＳ１０６）。ＣＰＵ１１は、メモリ１２からアンテナＡの受信強度及び選択されているチャンネルの受信強度を読み込む（ステップＳ１０７）。
【００６８】
一方、ＣＰＵ１１は、ＷＳＳ信号を抽出できないと判断した場合（ステップＳ１０４：ＮＯ）、ダブルチューナに係るステップＳ１０８〜ステップＳ１１２の処理に移行する。
ＣＰＵ１１は、ＷＳＳ信号を抽出できないと判断した場合（ステップＳ１０４：ＮＯ）、受信装置１がダブルチューナ搭載型であるか否か判断する（ステップＳ１０８）。ＣＰＵ１１は、受信装置１がダブルチューナ搭載型でないと判断した場合（ステップＳ１０８：ＮＯ）、ステップＳ１０３に処理を戻す。ＣＰＵ１１は、受信装置１がダブルチューナ搭載型であると判断した場合（ステップＳ１０８：ＹＥＳ）、別のチューナ部２０によりＷＳＳ信号を抽出できるか否か判断する（ステップＳ１０９）。
【００６９】
ＣＰＵ１１は、別のチューナ部２０によりＷＳＳ信号を抽出できないと判断した場合（ステップＳ１０９：ＮＯ）、別のチューナ部２０のＡＧＣ２０ｃにより増幅回路２０ａのゲインを所定の値だけ上げ（ステップＳ１１０）、ステップＳ１０９に処理を戻す。ＣＰＵ１１は、別のチューナ部２０によりＷＳＳ信号を抽出できると判断した場合（ステップＳ１０９：ＹＥＳ）、垂直同期信号からＷＳＳ信号が始まる時間と終わる時間とのタイミングを夫々検出し、検出した各タイミングをメモリ１２に記録する（ステップＳ１１１）。ＣＰＵ１１は、ＷＳＳ信号から映像のアスペクト比を抽出し、抽出した映像のアスペクト比をメモリ１２に記録する（ステップＳ１１２）。その後、ＣＰＵ１１は、ステップＳ１０７に処理を移す。
【００７０】
ステップＳ１１０では、ＡＧＣ２０ｃにより増幅回路２０ａのゲインを上げる方向にのみ変更している。しかし、電波強度が強すぎてＷＳＳ信号を抽出できないような場合には、ＡＧＣ２０ｃにより増幅回路２０ａのゲインを下げてもよい。あるいは、ループ処理により、ステップＳ１１０が何回も繰り返される場合、ＡＧＣ２０ｃにより増幅回路２０ａのゲインを上げる処理とゲインを下げる処理とを所定回数ずつ繰り返してもよい。
また、ＶＢＩ信号分離部２０ｅがＷＳＳ信号を抽出できない場合、垂直同期信号からＷＳＳ信号が始まる時間と終わる時間とのタイミングを少しずつ変化させ、ＷＳＳ信号を抽出してもよい。
【００７１】
ＣＰＵ１１は、アンテナＡの受信強度が弱か否か判断する（ステップＳ１１３）。ＣＰＵ１１は、アンテナＡの受信強度が弱であると判断した場合（ステップＳ１１３：ＹＥＳ）、ステップＳ１１８に処理を進める。ＣＰＵ１１は、アンテナＡの受信強度が弱でないと判断した場合（ステップＳ１１３：ＮＯ）、選択されているチャンネルの受信強度が弱か否か判断する（ステップＳ１１４）。ＣＰＵ１１は、選択されているチャンネルの受信強度が弱であると判断した場合（ステップＳ１１４：ＹＥＳ）、ステップＳ１１８に処理を進める。
【００７２】
ステップＳ１１５〜ステップＳ１１７の処理は、アンテナＡ及び選択されているチャンネルの受信強度が弱でない場合、ＣＰＵ１１によって行われる通常処理である。
ステップＳ１１８以降の処理は、アンテナＡ又は選択されているチャンネルの受信強度が弱である場合、ＣＰＵ１１によって行われる処理である。
【００７３】
ＣＰＵ１１は、選択されているチャンネルの受信強度が弱でないと判断した場合（ステップＳ１１４：ＮＯ）、アスペクト比の一致回数が４回以上か否か判断する（ステップＳ１１５）。ここで、一致回数が４回以上とは、次々と抽出した爾後のＷＳＳ信号から抽出したアスペクト比が連続して４回一致するという意味である。
ＣＰＵ１１は、アスペクト比の一致回数が４回以上と判断した場合（ステップＳ１１５：ＹＥＳ）、一致したアスペクト比に映像を反映させ（ステップＳ１１６）、ステップＳ１１５に処理を戻す。
【００７４】
ＣＰＵ１１は、アスペクト比の一致回数が４回以上ではないと判断した場合（ステップＳ１１５：ＮＯ）、ステップＳ１１７へ処理を移す。ここで、アスペクト比の一致回数が４回以上ではない場合とは、アスペクト比の一致回数が４回になる前に、一回でもアスペクト比の不一致が起きた場合である。
【００７５】
ＣＰＵ１１は、アスペクト比の不一致回数が１１回以上か否か判断する（ステップＳ１１７）。ここでの不一致回数が１１回以上とは、連続してアスペクト比が１１回不一致になるという意味である。不一致回数が１１回以上ではないとは、不一致回数が１１回まで累積する前に、アスペクト比の一致が起こる場合である。
ＣＰＵ１１は、アスペクト比の不一致回数が１１回以上と判断した場合（ステップＳ１１７：ＹＥＳ）、ステップＳ１１８に処理を移す。ＣＰＵ１１は、アスペクト比の不一致回数が１１回以上ではないと判断した場合（ステップＳ１１７：ＮＯ）、ステップＳ１１５に処理を戻す。
【００７６】
ＣＰＵ１１は、メモリ１２からＷＳＳ信号のタイミングを読み込む（ステップＳ１１８）。ＣＰＵ１１は、読み込んだＷＳＳ信号のタイミングからＷＳＳ信号を抽出できるか否か判断する（ステップＳ１１９）。ＣＰＵ１１は、読み込んだタイミングでＷＳＳ信号を抽出できると判断した場合（ステップＳ１１９：ＹＥＳ）、爾後のＷＳＳ信号を抽出し、更にＷＳＳ信号から映像のアスペクト比を抽出し、抽出したアスペクト比に映像を反映させる（ステップＳ１２０）。ＣＰＵ１１は、読み込んだタイミングでＷＳＳ信号を抽出できないと判断した場合（ステップＳ１１９：ＮＯ）、ステップＳ１２１に処理を進める。
【００７７】
ＣＰＵ１１は、ＴＶモード以外のモード切替信号を受信したか否か判断する（ステップＳ１２１）。ＣＰＵ１１は、ＴＶモード以外のモード切替信号を受信していないと判断した場合（ステップＳ１２１：ＮＯ）、ステップＳ１１８に処理を戻す。すなわち、ＣＰＵ１１は、ＴＶモードのままである場合、ステップＳ１１８に処理を戻す。
ＣＰＵ１１は、ＴＶモード以外のモード切替信号を受信したと判断した場合（ステップＳ１２１：ＹＥＳ）、アンテナＡの受信強度及び選択されているチャンネルの受信強度をチューナ部１０から受け付け、メモリ１２に記録する（ステップＳ１２２）。なお、ステップＳ１２２で選択されているＡＶモードは、外部入力モード、スタンバイモード又はパワーオフモードである。
【００７８】
ＣＰＵ１１は、ステップＳ１２１で判断した対象のＡＶモードが外部入力モードか否か判断する（ステップＳ１２３）。ＣＰＵ１１は、ステップＳ１２１で判断した対象のＡＶモードが外部入力モードであると判断した場合（ステップＳ１２３：ＹＥＳ）、ＴＶモードへ切り替えるモード切替信号を受信したか否か判断する（ステップＳ１２４）。ＣＰＵ１１は、ＴＶモードへ切り替えるモード切替信号を受信していないと判断した場合（ステップＳ１２４：ＮＯ）、ステップＳ１２４に処理を戻す。ＣＰＵ１１は、ＴＶモードへ切り替えるモード切替信号を受信したと判断した場合（ステップＳ１２４：ＹＥＳ）、ステップＳ１０４に処理を戻す。
【００７９】
ＣＰＵ１１は、ステップＳ１２１で判断した対象のＡＶモードが外部入力モードでないと判断した場合（ステップＳ１２３：ＮＯ）、ステップＳ１２１で判断した対象のＡＶモードがパワーオフモードか否か判断する（ステップＳ１２５）。ステップＳ１２５において、ステップＳ１２１で判断した対象のＡＶモードは、スタンバイモード又はパワーオフモードである。
ＣＰＵ１１は、ステップＳ１２１で判断した対象のＡＶモードがパワーオフモードでないと判断した場合（ステップＳ１２５：ＮＯ）、ステップＳ１２５に処理を戻す。すなわち、ＣＰＵ１１は、ステップＳ１２５においてスタンバイモードが選択されたと判断した場合、待機状態に入る。
ＣＰＵ１１は、ステップＳ１２１で判断した対象のＡＶモードがパワーオフモードであると判断した場合（ステップＳ１２５：ＹＥＳ）、処理を終了する。
【００８０】
アナログテレビ放送、ディスクレコーダ等で扱われる映像信号には、映像信号以外の情報を表す付加情報が付加されている。例えば、画面を描き終わってから、次の画面を描きはじめるまでの垂直帰線期間には、ＶＢＩ信号として付加情報が送信されている。付加情報には、文字放送情報に係るテレテキスト、字幕に係るＣＣ、映像のアスペクト比に係るＷＳＳ等がある。
【００８１】
電波強度が微弱な地域では、映像のアスペクト比の信号を含むＷＳＳ信号を正常に抽出できない場合がある。映像を描画するためのカラーバースト信号等については抽出精度が高いが、ＷＳＳ信号は付加的な機能であるため、抽出精度及び信号判定精度が低い。テレビ受像機は、アスペクト比を検知した場合、検知したアスペクト比に従って映像の縦横のサイズを変更する。しかし、テレビ受像機は、アスペクト比を検知できない場合、映像の縦横のサイズを最後にメモリに記録した映像の縦横のサイズに戻す。
このため、テレビ受像機がアスペクト比を全く抽出できない場合、映像の縦横のサイズに変化は起こらず問題はない。しかし、電波強度が微弱な地域では、テレビ受像機はアスペクト比を抽出したり、抽出しなかったりを繰り返す。そのため、映像の縦横のサイズが不規則な時間間隔で頻繁に切り替わり、テレビ番組の視聴に悪影響を及ぼす。
【００８２】
本実施の形態に係る受信装置１は、２つのチューナ部１０、２０を搭載している。１つのチューナ部１０がＷＳＳ信号を抽出できない場合、表示装置３に映像信号を出力していないもう１つのチューナ部２０がＷＳＳ信号を抽出する。もう１つのチューナ部２０のＡＧＣ２０ｃは、増幅回路２０ａのゲインを上げてＷＳＳ信号を抽出する。そのため、受信装置１は、ＷＳＳ信号の抽出精度を上げることができ、アスペクト比の判定精度を向上させることができる。
【００８３】
受信装置がチューナを１つだけ搭載し、そのチューナのＡＧＣによりゲインの上げ下げを行う場合、信号強度が大きくなったり小さくなったりするため、ユーザは映像に対して違和感を感じる。しかしながら、受信装置１によれば、ユーザの視聴に係るチューナ部１０とは別のチューナ部２０のＡＧＣ２０ｃにより増幅回路２０ａのゲインの上げ下げを行うため、視聴への悪影響は生じない。
【００８４】
受信装置１は、２つのチューナ部１０、２０を含むが、３つ以上のチューナ部を含んでもよい。また、受信装置１は、複数のＶＢＩ信号分離部１０ｅ、２０ｅを有するチューナ部１０、２０を１つ又は複数含んでもよい。
【００８５】
受信装置１によれば、ＷＳＳ信号のタイミングに基づいてＷＳＳ信号を抽出するため、電波強度が微弱な地域であっても、ＷＳＳ信号を抽出することができる。映像信号は周期的なフィールド又はフレームを単位として繰り返し伝送されるので、例えば所定の垂直同期信号からＷＳＳ信号までのタイミングが既知であれば、ＷＳＳ信号を抽出することができる。そこで、受信装置１はＷＳＳ信号のタイミングを予め検出し、メモリ１２に記録しておくことにより、後にメモリ１２からＷＳＳ信号のタイミングを読み込む。受信装置１はメモリ１２から読み込んだＷＳＳ信号のタイミングに基づいてＷＳＳ信号を抽出する。これにより、受信装置１は電波強度が微弱な環境であっても、ＷＳＳ信号の誤判定を減らすことができる。また、受信装置１はＷＳＳ信号に含まれる映像のアスペクト比を安定して抽出することができる。
【００８６】
受信装置１によれば、アンテナＡの受信強度及び選局チャンネルの受信強度に基づいて、通常の方法でＷＳＳ信号を抽出するか、又はＷＳＳ信号のタイミングを利用してＷＳＳ信号を抽出するかを判断する。受信強度が通常であれば、複数回一致によりＷＳＳ信号を抽出する。一方、受信強度が弱であれば、ＷＳＳ信号のタイミングを利用してＷＳＳ信号を抽出する。受信強度に応じてＷＳＳ信号の抽出方法を切り分けることにより、ＷＳＳ信号の誤判定を減らすことができる。
【００８７】
選局チャンネルの受信強度は、その周波数によって異なる。また、選局チャンネルの受信強度は、アンテナＡの受信強度とも異なる。そこで、アンテナＡの受信強度及び選局チャンネルの受信強度を組み合わせて、受信強度が通常か弱かを判定することにより、よりきめ細かい対応が可能となる。
例えば、アンテナＡの受信強度が通常であっても、ユーザが視聴する選択チャンネルの受信強度が弱であれば、通常の複数回一致を実施した場合、長時間を要す可能性が高い。かかる場合は、ＷＳＳ信号のタイミングを利用したＷＳＳ信号の抽出が得策である。
【００８８】
受信装置１は、例えば、テレビチューナ、テレビ受像機、テレビチューナを搭載したレコーダ、テレビチューナを搭載したパーソナルコンピュータ、テレビチューナを搭載した携帯電話、テレビチューナを搭載したＰＤＡ（personal digital assistant）等である。
【００８９】
本実施の形態では、アナログテレビ放送を扱った。しかし、将来、デジタルテレビ放送及びＩＰ放送の規格に垂直帰線期間の概念が盛り込まれた場合、本実施の形態に係る受信装置１をデジタルテレビ放送及びＩＰ放送に好適に応用することができる。
【符号の説明】
【００９０】
１              受信装置
１０、２０      チューナ部
１０ｅ、２０ｅ  ＶＢＩ信号分離部
１２ｅ、２２ｅ  抽出部
１３ｅ、２３ｅ  判定部
【図１】
2011228904.tif 000003
【図２】
2011228904.tif 000004
【図３】
2011228904.tif 000005
【図４】
2011228904.tif 000006
【図５】
2011228904.tif 000007
【図６】
2011228904.tif 000008
【図７】
2011228904.tif 000009
【図８】
2011228904.tif 000010